(57)【特許請求の範囲】
【請求項１】
プラスチック袋を番重の中に敷設する内袋敷設装置であり、
番重の上でプラスチック袋を開口した状態で保持する袋保持部材と、
番重に対して上下動する押圧部材と、
対向した一対の口部引っ張り部材と、口部引っ張り部材を相互に接近・離反させる口部引っ張り部材移動部材とを有する耳部形成部材と、
番重の第１辺およびこれに平行な第２辺に沿ってそれぞれ番重に対して上下動する耳部起立部材と、
番重の第１辺および第２辺の外部より内部に進入して起立した耳部を番重の内部に折り込む耳部押し込み部材を有し、
袋保持部材で保持されたプラスチック袋の内部に押圧部材が降下してプラスチック袋の底部を番重内に挿入し、
口部引っ張り部材がプラスチック袋の中に進入し、番重の第１辺および第２辺に沿ったプラスチック袋の口部を番重の外側に向いて引っ張るとともに袋保持部材がプラスチック袋を解放して番重の第１辺および第２辺の外側にプラスチック袋の耳部を形成し、
耳部起立部材が番重の第１辺および第２辺に沿って番重内に降下してプラスチック袋の耳部を起立させ、
耳部押し込み部材が番重の第１辺および第２辺の外部より内部に進入して起立した耳部を番重の内部に折り込むようになした内袋敷設装置。
【請求項２】
番重の第１辺および第２辺に沿って番重の外側で上下動する耳部支持部材を有し、耳部支持部材は平行な複数のスリット部を有し、このスリット部を通って耳部押し込み部材が耳部押し込み部材が進入するようになした請求項１に記載の内袋敷設装置。
【請求項３】
プラスチック袋を番重内に挿入し耳部を形成する袋挿入位置と、耳部を起立し番重の内部に折り込む耳部折り込み位置と、番重を袋挿入位置から耳部折り込み位置に移送する番重移送装置を有する請求項１または請求項２に記載の内袋敷設装置。
【請求項４】
連続した筒状プラスチックフィルムである袋原反が巻かれた袋原反ロールから袋原反を引き出し、袋原反の上部を開口するとともに下端部を封止して袋原反の下流側から切り離してプラスチック袋を形成する製袋装置を備え、
袋保持部材は形成されたプラスチック袋の口部を開いた状態で保持するようになした請求項１から請求項３のいずれかに記載の内袋敷設装置。
【請求項５】
筒状プラスチックフィルムである袋原反からプラスチック袋を形成する製袋位置と袋挿入位置を異なる場所に設け、袋保持部材はプラスチック袋の口部を開いた状態で保持しながら製袋位置から袋挿入位置へ移動可能にした請求項４に記載の内袋敷設装置。
【発明の詳細な説明】
【技術分野】
【０００１】
この発明は、プラスチックの袋体を番重の中に敷き込むための技術に関する。
【背景技術】
【０００２】
商品等の箱詰めに先駆けて、段ボール箱などの梱包箱の中にポリ袋などを敷き詰めることが多い。多くの場合、内容物の投入も自動的に行われるので、ポリ袋の上部を大きく開口させている。図２０は、ポリ袋が装着された段ボール箱の例を示す斜視図である。このような袋体の装着作業を自動的に行う装置も既に普及している。さらに、連続した筒状プラスチックフィルムを原反ローラから引き出し、所定の長さごとに切断するとともに下端を溶着して袋体を形成する製袋装置も特許文献１〜４に示すように提案されている。
【先行技術文献】
【特許文献】
【０００３】
【特許文献１】特許公報第４１３６２９０号
【特許文献２】特開２０１３−９８３号公報
【特許文献３】特開２０１３−１３６１５３号公報
【特許文献４】特開２０１７−１７０７５４号公報
【発明の概要】
【発明が解決しようとする課題】
【０００４】
特許文献１〜４に記載の袋敷設装置は、いずれも連続した筒状プラスチックフィルムから袋体を製造し、その袋体を梱包箱に敷設するまでの一連の作業を自動的に行うものである。これらの発明において袋体の口部は広げられ、その端部は梱包箱の外側に折り返されている。したがって、袋体を敷設した梱包箱の中に内容物を投入するのは容易であり、自動化することも可能である。
【０００５】
しかしながら、袋体が敷設されてから内容物の投入が開始されるまでの間も、袋体の口部は上向きに大きく開いた状態であり、この間に袋内に異物が侵入するおそれがある。特に、袋の敷設場所から梱包場所までの距離がある場合や、高度に衛生管理されない場所を通過する場合などには、この問題が深刻になる。
【０００６】
調理された米飯などの食品を移送するときに、番重と呼ばれる低い箱体にプラスチック袋を敷設し、このプラスチック袋に食品を入れる。そして、プラスチック袋の口部を合わせて閉じる。この食品の投入や口部の閉鎖の作業は自動化に適しておらず、多くの場合に人手によって行われる。したがって、プラスチック袋の口部を開けた状態で事前に番重内に敷設するメリットは大きくない。しかしまた、プラスチック袋の敷設を、食品取扱用の手袋を着けた状態で手作業で行うのは負担が大きい。
【０００７】
この発明は、プラスチック袋を異物が入りにくい状態で番重の内部に自動的に敷設する内袋敷設装置を提供することを目的とする。
【課題を解決するための手段】
【０００８】
上述の課題を解決するため、この発明の内袋敷設装置は、番重の上でプラスチック袋を開口した状態で保持する袋保持部材と、番重に対して上下動する押圧部材と、
対向した一対の口部引っ張り部材と、口部引っ張り部材を相互に接近・離反させる口部引っ張り部材移動部材とを有する耳部形成部材と、番重の第１辺およびこれに平行な第２辺に沿ってそれぞれ番重に対して上下動する耳部起立部材と、番重の第１辺および第２辺の外部より内部に進入して起立した耳部を番重の内部に折り込む耳部押し込み部材を有し、袋保持部材で保持されたプラスチック袋の内部に押圧部材が降下してプラスチック袋の底部を番重内に挿入し、口部引っ張り部材がプラスチック袋の中に進入し、番重の第１辺および第２辺に沿ったプラスチック袋の口部を番重の外側に向いて引っ張るとともに袋保持部材がプラスチック袋を解放して番重の第１辺および第２辺の外側にプラスチック袋の耳部を形成し、耳部起立部材が番重の第１辺および第２辺に沿って番重内に降下してプラスチック袋の耳部を起立させ、耳部押し込み部材が番重の第１辺および第２辺の外部より内部に進入して起立した耳部を番重の内部に折り込むようになしたものである。
さらに、番重の第１辺および第２辺に沿って番重の外側で上下動する耳部支持部材を設け、耳部支持部材は平行な複数のスリット部を有し、このスリット部を通って耳部押し込み部材が耳部押し込み部材が進入するようにすることが好ましい。
また、プラスチック袋を番重内に挿入し耳部を形成する袋挿入位置と、耳部を起立し番重の内部に折り込む耳部折り込み位置とを別々に設け、番重を袋挿入位置から耳部折り込み位置に移送する番重移送装置を設けてもよい。
さらに、連続した筒状プラスチックフィルムである袋原反が巻かれた袋原反ロールから袋原反を引き出し、袋原反の上部を開口するとともに下端部を封止して袋原反の下流側から切り離してプラスチック袋を形成する製袋装置を備え、袋保持部材は形成されたプラスチック袋の口部を開いた状態で保持するようにしてもよく、筒状プラスチックフィルムである袋原反からプラスチック袋を形成する製袋位置と袋挿入位置を異なる場所に設け、袋保持部材はプラスチック袋の口部を開いた状態で保持しながら製袋位置から袋挿入位置へ移動可能にしてもよい。
【発明の効果】
【０００９】
この発明の製袋装置は、番重内にプラスチック袋を口部が閉じられた状態で自動的に敷設することができる。したがって、敷設されたプラスチック袋に異物が侵入しにくく、内部を清潔に保つことができる。
【図面の簡単な説明】
【００１０】
【図１】内袋敷設装置を示す正面図である。
【図２】同左側面図である。
【図３】同右側面図である。
【図４】内袋敷設装置の構成を示す平面視のブロック図である。
【図５】先端保持部材を示す正面図である。
【図６】同側面図である。
【図７】原反先端部受取部材を示す側面図である。
【図８】原反先端部受取部材のチャックを示す正面図である。
【図９】同背面図である。
【図１０】同平面図である。
【図１１】チャック片の動きを示す側面図である。
【図１２】番重を示す斜視図である。
【図１３】耳部折り込み装置の構成を示す側面図である。
【図１４】耳部支持部材と耳部押し込み部材を示す正面図である。
【図１５】製袋装置における製袋工程を模式的に示す側面図である。
【図１６】プラスチック袋の挿入工程を模式的に示す側面図である。
【図１７】プラスチック袋が挿入された番重を示す平面図である。
【図１８】耳部の折り畳み工程を模式的に示す側面図である。
【図１９】プラスチック袋が敷設された番重を示す平面図である。
【図２０】ポリ袋が装着された段ボール箱の例を示す斜視図である。
【発明を実施するための形態】
【００１１】
この発明を実施するための形態について、図面に基づいて説明する。図１は内袋敷設装置を示す正面図、図２は同左側面図、図３は右側面図である
【００１２】
本例において内袋敷設装置１は、筒状プラスチックフィルムである袋原反より袋体であるプラスチック袋を作る製袋装置２と、番重と呼ばれる箱体にプラスチック袋を敷設する袋挿入装置３と、プラスチック袋の耳部を番重ｘの内部に折り畳む耳部折り込み装置４を有する。製袋装置２は内袋敷設装置１から独立した装置として提供されてもよいが、本例では製袋装置２も内袋敷設装置１に一体に備えられている。また、袋挿入装置３と耳部折り込み装置４を同じ位置に一体に設けてもよいが、本例ではそれぞれを袋挿入位置Ｐ２と耳部折り込み位置Ｐ３に分け、番重ｘを袋挿入位置Ｐ２から耳部折り込み位置Ｐ３に移送する番重移送装置１８を設けている。図４は内袋敷設装置の構成を示す平面視のブロック図であり、製袋位置Ｐ１と袋挿入位置Ｐ２と耳部折り込み位置Ｐ３の配置の例を示している。このように、製袋装置２、袋挿入装置３、耳部折り込み装置４を異なる位置に配置することによって、さまざまな可動部材の干渉を回避することが容易になり、構成が簡易になるとともに保全にも有利である。
【００１３】
製袋装置について説明する。図１において左側に表れている。図２は製袋装置の左側面図を示しており、奥側に存在する袋挿入装置３と左側の耳部折り込み装置４は図示を省略され、手前側に表れる製袋装置２のみを特に示している。製袋装置２は原反ロール保持部材５を有している。この原反ロール保持部材５に原反ロール６が取り付けられる。原反ロール６は連続した筒状プラスチックフィルムである袋原反が巻かれたものである。筒状プラスチックフィルムをそのまま平らに巻いたものでもよいが、本例では両端部を内側に折り込んだマチ部を有するガゼット折りのロールにしており、幅の狭い原反ロール保持部材５に取り付けられながら大きな袋を形成できるようになっている。この袋原反の断面の周囲長は、敷設される番重の内周長に概ね対応している。
【００１４】
原反ロール６から供給される袋原反の先端部を保持する先端保持部材７が設けられている。原反ロール６から先端保持部材７にかけては袋原反の通り道に沿っていくつかのガイド部材８が設けられている。
【００１５】
先端保持部材７について説明する。図５は先端保持部材を示す正面図、図６は同側面図である。先端保持部材７は対向した一対の略長方形状の板状部材９ａ，９ｂより形成されているが、その板状部材９ａ，９ｂには２箇所に切り欠き部１０が形成されている。この切り欠き部１０は後述の原反先端部受取部材１１が進入するための空間である。先端保持部材７は使用する原反の幅よりも長くなっている。
【００１６】
一対の板状部材９ａ，９ｂの少なくとも一方は平行に移動することができ、これにより開閉するようになっている。本例では、一方の板状部材９ａにエアシリンダ等の駆動部材が設けられ、その伸縮運動によって閉じた状態と開いた状態の切替がなされる。本例で他方の板状部材９ｂには駆動部材は取り付けられていない。
【００１７】
先端保持部材７の上部には原反先端部受取部材１１が設けられている。この原反先端部受取部材１１は上下動が可能であり、先端保持部材７の位置まで下降できる。そして、第１先端保持部材７の切り欠き部１０に進入する。
【００１８】
原反先端部受取部材について説明する。図７は原反先端部受取部材を示す側面図である。図８は原反先端部受取部材のチャックを示す正面図、図９は同背面図、図１０は同平面図である。原反先端部受取部材９は２基のチャックよりなる。それぞれのチャックは一対のチャック片１２を有し、内側を向いた面には吸引口１３が設けられている。この吸引口１３は電磁弁を介してコンプレッサーなどの吸引装置に接続されている。
【００１９】
チャック片１２には水平駆動部材１４が設けられており、相互に接触・離反ができるようになっている。さらに、一対のチャック片１２には上下動のための上下駆動部材１５が設けられている。図１１はチャック片の動きを示す側面図である。本例では、一つのチャック片１２ａにエアシリンダ１５が設けられており、そのチャック片１２ａを他方のチャック片１２ｂに対して上下動させる。この上下駆動部材１５が、チャック片同士を相互に摺り合せる摺り合わせ駆動部材となっている。
【００２０】
先端保持部７のすぐ上側には、加熱部材１６と切断部材１７が設けられている。加熱部材１６は平行な一対の棒状の部材であり、少なくとも一方はプラスチックフィルムの溶着温度以上に昇温できる加熱棒材になっている。この一対の棒状部材は相互に接触・離反できるようになっている。そして、この加熱部材１６の下に切断部材１７が配置される。
【００２１】
ついで、袋挿入装置３について説明する。袋挿入装置３の下部には番重を移送する番重移送装置１８が設けられている。番重移送装置１８はローラコンベアやベルトコンベアなどで構成され、導入位置Ｐ０から袋挿入位置Ｐ２、耳部折り込み位置Ｐ３、そして番重排出位置Ｐ４まで梱包箱を自動的に移送する。それぞれの位置での停止およびその間の移送についてはコンピュータにより制御されている。
【００２２】
図１２は番重を示す斜視図である。番重ｘはプラスチックなどを素材とする略直方体状の箱体であり、段ボール箱などの梱包箱に比べると長さＬ・幅Ｗに対する高さＨが小さい。底面は長方形になっている。ここで、その長方形の４辺のうちで、相互に平行に対向する２辺を第１辺および第２辺と呼ぶ。本例では短い辺を第１辺および第２辺とし、この第１辺および第２辺を進行方向に対して直角になる向きで番重ｘを番重移送装置１８の導入位置Ｐ０に置く。
【００２３】
袋挿入位置Ｐ２の上部には、番重ｘの上でプラスチック袋を開口した状態で保持する袋保持部材１９と、番重ｘに対して上下動してするプラスチック袋を番重ｘの中に押し込む押圧部材２０と、耳部形成部材２１が設けられている。
【００２４】
押圧部材１９は略直方体の箱体であり、その上部に支持棒２２が備えられている。この支持棒２２は駆動装置（図示省略）に接続されており、押圧部材１９を上下動させる。また、押圧部材１９には番重ｘの第１辺および第２辺に沿った面、すなわち番重移送装置１８の進行方向に対して直角な面の中央部には、後述の口部引っ張り部材が進入できる溝部２０ａが形成されている。  
【００２５】
袋保持部材１９は開閉可能な２つのチャック片の組合せを４組備えている。この４組は押圧部材２０の外部にあり、長方形の４隅をなすように配置されている。袋保持部材１９は上下動可能になっている。
【００２６】
耳部形成部材２１は対向した一対の口部引っ張り部材２３を有する。この口部引っ張り部材２３は回転部材２３ａに取り付けられた棒状の部材２３ｂと、この棒状の部材の先端から直角に伸びた棒状の部材２３ｃにより、Ｌ字状に構成されている。また、それぞれの口部引っ張り部材２３には口部引っ張り部材移動部材（図示省略）が連結されたおり、上下方向に移動できるとともに、相互に接近・離反する方向にも移動できる。
【００２７】
耳部折り込み装置４について説明する。図１３は耳部折り込み装置４の構成を示す側面図である。耳部折り込み装置４は、番重ｘの第１辺および第２辺に沿って番重ｘに対して上下動する耳部起立部材２５と、番重ｘの第１辺および第２辺の外部より内部に進入して起立した耳部を番重ｘの内部に折り込む耳部押し込み部材２６を有する。さらに、番重ｘの第１辺および第２辺に沿って番重ｘの外側で上下動する耳部支持部材２７も備える。
【００２８】
耳部起立部材２５は番重ｘの第１辺および第２辺に沿って番重ｘの内側の位置に設けられた第１板状部材２８に加えて、第１辺および第２辺に垂直な第３辺および第４辺に沿って番重ｘの内側の位置に設けられた第２板状部材２９を備える。そして、第１板状部材２８と第２板状部材２９はそれぞれ独立に上下動できるようになっている。
【００２９】
図１４は耳部支持部材と耳部押し込み部材を正面から見た状態を模式的に示す。耳部押し込み部材２６は複数の棒状部材３０を平行かつ同一平面上に備えており、隣り合う棒状部材３０の間にはスリット部３１が形成され、全体的にフォークの形状になっている。この耳部押し込み部材２６は先端部が番重ｘの方を向いており、番重の方に向いて下がるような傾斜している。そして、この傾斜に沿った前後動を行い、先端部が番重の外と内を進退するようになっている。本例では５本の棒状部材３０が設けられ、その間に４本のスリット部３１が形成されている。
【００３０】
耳部支持部材２７も複数の棒状部材３２とその間のスリット部３３を平行かつ同一平面上に備え全体的にフォークの形状になっている。耳部支持部材２７は番重ｘの第１辺および第２辺に沿ってその外側に垂直に設けられており、先端部が上を向いている。そして、上下動することによって、先端部が番重ｘの下側と上側を往復する。本例では４本の棒状部材３２が設けられ、その間に３本のスリット部３３が形成されている。
【００３１】
耳部支持部材２７と耳部押し込み部材２６の棒状部材３０，３２は、正面視においてそれぞれ他方のスリット部３３，３１の位置に沿って配置されている。したがって、耳部支持部材２７と耳部押し込み部材２６は移動中に相互に干渉しないようになっている。
【００３２】
つぎに、内袋敷設装置１の作用およびこの発明を用いた内袋敷設方法の例について説明する。まず、原反ロール保持部材５に原反ロール６を取り付ける。原反ロール６から先端部を引き出し、ガイド部材８を介して先端保持部材７に導入する。この作業は作業員による手作業となる。
【００３３】
袋原反の先端部を先端保持部材７の上端部に合わせる。この作業が完了したら、内袋敷設装置１の動作を開始させる。先端保持部材７は閉じて、袋原反の先端部を把持する。
【００３４】
番重ｘを番重移送装置１８に導入する。ここで、使用する番重としては、底面の形状は所定のものであり、第１辺および第２辺に沿った長さＬと、第３辺および第４辺に沿った幅Ｗは決まったものになる。２×（Ｌ＋Ｗ）が番重の内周長さになるが、この値に概ね対応する周囲長の袋原反が使用されることになる。一方、番重ｘの高さＨについては必ずしも固定される必要はなく、異なる高さＨ１、Ｈ２・・・のものを選択して使用してもよい。この場合、制御装置にはそれぞれの高さＨ１、Ｈ２・・・に対応したモードＨ１，モードＨ２・・・が設けられており、番重ｘを選択した際には、その高さのモードに設定しておく。
【００３５】
短辺である第１辺を下流側に向けて番重導入位置Ｐ０に置く。この作業は手動であってもよく、導入するための自動化装置を使用してもよい。番重移送装置１８により番重ｘは内袋挿入位置Ｐ１へ移動する。
【００３６】
図１５は製袋装置における製袋工程を模式的に示す側面図である。チャック片１２を開いた状態で原反先端部受取部材１１が先端保持部材７まで下降する（図１５ａ）。このとき、先端保持部材７の板状部材９の切り欠き部１０に進入する。吸引口１３はまだ吸引を行っていない。そして、チャック片１２を閉じることによって、原反の先端部を把持する。板状部材９を開く。製造される袋体ｙの高さ分に対応する距離だけ原反先端部受取部材１１は上昇して、一旦停止する（図１５ｂ）。ここで、この上昇距離は番重ｘの高さに合わせて設定される。より低い番重の高さＨ１に対してはより短い上昇距離であり、より高い番重の高さＨ２に対してはより長い上昇距離が設定され、これらは制御装置のモードＨ１，モードＨ２・・・の選択で決定できる。
【００３７】
つぎに、溶着部材１６の２本の棒状部材を互いに接近し、原反を挟みつける。これにより、筒状プラスチックフィルムである袋原反は先端保持部材７の近くで溶着される。そして、切断装置１７が作動し、溶着箇所のすぐ下を切断する（図１５ｃ）。切断部の下側は、袋原反の新たな先端となり、先端保持部材７に保持される。
【００３８】
原反先端部受取部材１１のチャック片１２が閉じた状態で吸引を開始する。そして、吸引を続けながら一対のチャック片１２を互いに離反させていくことにより、袋原反の先端部を開口する。口部においてプラスチック袋は把持されていないが、吸引によって外側のチャック片１２に吸いつけられているのでチャック片１２から離れることなく口部は開いていく。
【００３９】
プラスチック袋はでは重なり合ったフィルム同士は相当強く密着しているので、吸引口１３での吸引だけでは開きにくい場合もある。本例においては、チャック片１２には上下駆動部材１５が設けられているので、開口の前に吸引を行いながら上下駆動部材１５を作動させ、チャック片１２を上下動させることができる。図１１にチャック片の動きを示す。これは、ポリ袋などを手で開く際に行うのと類似した動作になる。こうして、摺り合せ動作を行った部分において、重なり合ったフィルム同士の密着が弱くなる。その後吸引しながらチャック片１２を開くことによって、より確実に口部を開くことができる。
【００４０】
口部が開き、底部は溶着によって閉じられたプラスチック袋ｙが製造される（図１５ｄ）。溶着部材１６の棒状部材を離反させることにより、袋体の底部が開放される。４体のチャック片１２が開くことにより、チャック片１２を四隅とする長方形状に袋体の口部が開く。チャック片１２の移動先の位置は制御装置により指示することができる。制御装置に番重ｘの底面形状に関する情報を保存しておくことにより、最適な開口形状になるような移動を決定することができる。
【００４１】
原反先端部受取部材１１はプラスチック袋ｙを保持したまま上昇する。そして、移送部材３４が備えられている高さに達したら停止する（図１５ｅ）。移送部材３４は４組のチャックを有し、プラスチック袋ｙを原反先端部受取部材１１から受け取る。
【００４２】
ついで、移送部材３４は水平に移動し、製袋装置２を離れて袋挿入装置３に行く。一方、原反先端部受取部材１１は下降し、先端保持部材７の近くで待機する（図１５ｆ）。番重移送装置１８では、投入された番重ｘは運ばれ、内袋を挿入するための袋挿入装置Ｐ２で停止する。
【００４３】
図１６はプラスチック袋の挿入工程を模式的に示す正面図である。プラスチック袋ｙは口部を開いた状態で移送部材３４により番重の上に運ばれてきている。このプラスチック袋ｙの口部の上にある袋保持部材１９と押圧部材２０が下降を始める。袋保持部材１９は４組のチャック部材を有し、これがプラスチック袋ｙの口部を掴むとともに移送部材３４はプラスチック袋ｙを放す。そして、移送部材３４は製袋装置２へ戻る。こうして、プラスチック袋ｙは移送部材３４から袋保持部材１９へ受け渡される。袋保持部材１９は所定の高さで停止するが、押圧部材２０は袋保持部材１９よりも深く下降し、口部が開かれたプラスチック袋ｙの中に進入する。そして、プラスチック袋ｙの底部を番重ｘの中に押し込む。ついで、袋保持部材１９がプラスチック袋ｙの口部を掴んだ状態で下降し、プラスチック袋ｙの口部を下げる。こうして、プラスチック袋ｙの上部は番重ｘの上で弛んだ状態になる。
【００４４】
口部引っ張り部材２３は回転しながら番重ｘへ接近する。待機状態では水平であった口部引っ張り部材２３の先端部２３ｃは垂直になりながら番重ｘの第１辺および第２辺を越えて、プラスチック袋ｙの口部の中に進入する。一方、押圧部材２０は上昇する。口部引っ張り部材２３の先端２３ｃが番重ｘの上に到達するとき、押圧部材２０の下部はまだプラスチック袋ｙの中に残っているが、押圧部材２０の溝部２０ａの中に口部引っ張り部材２３の先端２３ｃが入ることによって衝突しないようになっている。
【００４５】
口部引っ張り部材２３の先端２３ｃが垂直な状態で、口部引っ張り部材２３は相互に離反するように移動する。口部引っ張り部材２３の先端はプラスチック袋ｙの口部を引っ張り、第１辺および第２辺を越えてプラスチック袋ｙの口部の一部を番重ｘの外に突き出させる。こうして番重ｘの第１辺および第２辺の外側には、平面視で三角形状の耳部が形成される。また、プラスチック袋ｙの口部は閉じた状態になる。
【００４６】
口部引っ張り部材２３は上昇するとともに先端部２３ｃを上げるように回転する。こして、口部引っ張り部材２３はプラスチック袋ｙから離れ、番重ｘの外側の元の位置に復帰する。。図１９はプラスチック袋が敷設された番重を示す平面図である。番重ｘに挿入されたプラスチック袋ｙは閉じた状態であり、番重ｘの第１辺および第２辺の外側に耳部が残っている。この番重は番重移送装置１８によって番重排出位置Ｐ３に移送される
【００４７】
耳部折り込み装置４の作用について説明する。図１８は耳部の折り畳み工程を模式的に示す側面図である。耳部起立部材２５が下降する。第１板状部材２８と第２板状部材２９は同時に下降し、その先端部が番重ｘの底面に到達する。番重ｘの外側にはみ出ていた耳部は、第１板状部材２８に押されて垂直に起立する。耳部以外の部分は、第１板状部材２８と第２板状部材２９によって番重ｘの中に押し込まれる。
【００４８】
また、耳部支持部材２７が上昇する。この耳部支持部材２７も耳部を持ち上げて、起立させる作用を有する。耳部は第１板状部材２８と耳部支持部材２７の間で、ほぼ垂直に起立する。
【００４９】
ついで、第１板状部材２８が上昇する。第１板状部材２８が離れても耳部支持部材２７が耳部を番重ｘの外側に倒れないように支持し続ける。耳部押し込み部材２６が番重ｘへ向いて斜めに下降する。一方、耳部支持部材２７は上昇する。耳部支持部材２７が完全に退避してから耳部支持部材２７の先端を番重ｘの上に進入させてもよいが、完全に退避する前に進入させても、耳部押し込み部材２６と耳部支持部材２７の棒状部材は、他方のスリット部に進入できるので、衝突することはない。耳部押し込み部材２６の先端部は起立していた耳部を押し倒して、番重ｘの中に押し込む。このとき、第２板状部材２９は番重ｘの中に残っており、第３辺および第４辺に沿って壁を形成しているので、耳部は外にはみ出ることなく、確実に番重ｘの中に折り込まれる。
【００５０】
耳部押し込み部材２６と第２板状部材２９は上昇し、番重ｘから離れて、元の位置に復帰する。図１９はプラスチック袋が敷設された番重を示す平面図である。番重ｘの中にはプラスチック袋ｙが耳部を折り畳まれた状態で敷設されている。口部は閉じられており、異物等が侵入しにくくなっている。
【００５１】
番重移送装置１８を作動させて、プラスチック袋を敷設した番重を番重排出位置Ｐ４へ移送する。以上の工程を繰り返すことによって、番重ｘへのプラスチック袋ｙの敷設を連続的に継続することができる。
【００５２】
排出された番重は、所定の数を積み重ねて台車やフォークリフトで運び出す。プラスチック袋は完全に番重の中に納まっているので、そのまま重ね合わせることができる。また、口部は閉じられているので、移動中に異物が侵入することなく、袋内は清潔に保たれる。
【符号の説明】
【００５３】
１．内袋敷設装置
２．製袋装置
３．袋挿入装置
４．耳部折り込み装置
５．原反ロール保持部材
６．原反ロール
７．先端保持部材
８．ガイド部材
９．板状部材
１０．切り欠き部
１１．原反先端部受取部材
１２．チャック片
１３．吸引口
１４．水平駆動部材
１５．上下駆動部材
１６．溶着部材
１７．切断部材
１８．番重移送装置
１９．袋保持部材
２０．押圧部材
２１．耳部形成部材
２２．支持棒
２３．口部引っ張り部材
２４．回転部材
２５．耳部起立部材
２６．耳部押し込み部材
２７．耳部支持部材
２８．第１板状部材
２９．第２板状部材
３０．棒状部材
３１．スリット部
３２．棒状部材
３３．スリット部
３４．移送部材
ｘ．番重
ｙ．袋体
Ｐ０．番重導入位置
Ｐ１．番重導入位置
Ｐ２．袋挿入位置
Ｐ３．耳部折り込み位置
Ｐ４．番重排出位置
【要約】      （修正有）【課題】プラスティック袋を異物が入りにくい状態で番重内に敷設する。【解決手段】番重の上でプラスティック袋を開口状態で保持する袋保持部材と、番重に対して上下動する押圧部材と、対向し相互に接近・離反する一対の口部引っ張り部材と、番重の第１辺およびこれに平行な第２辺に沿って上下動する耳部起立部材と、番重の第１辺および第２辺の外部より内部に進入して耳部を内部に折り込む耳部押し込み部材を有し、袋保持部材で保持されたプラスティック袋を押圧部材が番重内に挿入し、プラスティック袋に口部引っ張り部材が進入し、第１辺および第２辺に沿ったプラスティック袋の口部を番重の外側に引っ張るとともに袋保持部材がプラスティック袋を解放して耳部を形成し、耳部起立部材が番重の第１辺および第２辺に沿って番重内に降下して耳部を起立させ、耳部押し込み部材が番重の内部に進入して耳部を内部に折り込む。【選択図】図３【図１】
0006810880.tif 000002
【図２】
0006810880.tif 000003
【図３】
0006810880.tif 000004
【図４】
0006810880.tif 000005
【図５】
0006810880.tif 000006
【図６】
0006810880.tif 000007
【図７】
0006810880.tif 000008
【図８】
0006810880.tif 000009
【図９】
0006810880.tif 000010
【図１０】
0006810880.tif 000011
【図１１】
0006810880.tif 000012
【図１２】
0006810880.tif 000013
【図１３】
0006810880.tif 000014
【図１４】
0006810880.tif 000015
【図１５】
0006810880.tif 000016
【図１６】
0006810880.tif 000017
【図１７】
0006810880.tif 000018
【図１８】
0006810880.tif 000019
【図１９】
0006810880.tif 000020
【図２０】
0006810880.tif 000021